(57)【要約】【課題】  使い勝手を向上した携帯端末及びシステムを提供する。【解決手段】  物体１００のＩＤ保持部１０１のＩＤを読み込むＩＤインターフェース部２０３と、入力部２０１と、出力部２０２と、記憶部２０６と、ＩＤの照合を行うＩＤ照合部２０８と、端末動作の切り替えを行う動作切り替え部２０７と、制御部２０４とを備える携帯端末において、ＩＤインターフェース部２０３がＩＤを読み込むと、読み込んだＩＤに対応して登録されたアプリケーションの動作を起動する。【選択図】        図１
2005269565.tif 000002
【特許請求の範囲】
【請求項１】
任意の物体のＩＤ保持部のＩＤを読み込むＩＤインターフェース部と、操作の入力を行う入力部と、音、文字又は画像のデータを出力する出力部と、ＩＤのデータを保持する記憶部と、ＩＤの照合を行うＩＤ照合部と、端末動作の切り替えを行う動作切り替え部と、前記ＩＤインターフェース部、前記入力部、前記出力部、前記記憶部、前記ＩＤ照合部及び前記動作切り替え部の制御を行う制御部とを備える携帯端末において、
前記ＩＤインターフェース部がＩＤを読み込むと、読み込んだＩＤに対応して登録されたアプリケーションの動作を起動することを特徴とする携帯端末。
【請求項２】
請求項１に記載の携帯端末において、
読み込んだＩＤについてのＩＤ情報が上記記憶部に登録されていないと、該ＩＤに対応したアプリケーションを前記記憶部に登録し、そのアプリケーションの動作を起動することを特徴とする携帯端末。
【請求項３】
請求項１に記載の携帯端末と、ＩＤを保持するＩＤ保持部を有する任意の物体とで構成されることを特徴とするＩＤ読み取り携帯端末システム。
【請求項４】
任意の物体のＩＤ保持部からのＩＤを読み込むＩＤインターフェース部と、操作の入力を行う入力部と、音、文字又は画像のデータを出力する出力部と、ＩＤのデータを保持する記憶部と、ＩＤの照合を行うＩＤ照合部と、端末動作の切り替えを行う動作切り替え部と、外部と通信を行う通信部と、前記ＩＤインターフェース部、前記入力部、前記出力部、前記記憶部、前記ＩＤ照合部、前記動作切り替え部及び前記通信部の制御を行う制御部と、アンテナとを備える携帯端末において、
読み込んだＩＤが前記記憶部に登録されていないと、前記通信部を用いて外部と通信し、該ＩＤについてのＩＤ情報を外部から取得し、取得したＩＤ情報が指定するアプリケーションの動作を起動することを特徴とする携帯端末。
【請求項５】
請求項４に記載の携帯端末と、ＩＤを保持するＩＤ保持部を有する任意の物体と、前記携帯端末と通信を行う通信部、ＩＤのデータを保持する記憶部、及び前記通信部と前記記憶部の制御を行う制御部を備えるＩＤ照合センターとから構成されるＩＤ読み取り携帯端末システムであって、
前記ＩＤ照合センターは、前記携帯端末から受取ったＩＤの照合を行い、照合したＩＤについてのＩＤ情報を前記携帯端末に送信することを特徴とするＩＤ読み取り携帯端末システム。
【請求項６】
請求項３又は５に記載のＩＤ読み取り携帯端末システムにおいて、
上記任意の物体のＩＤ保持部はＩＤ及びＩＤ付加情報を保持しており、上記携帯端末は、前記任意の物体のＩＤ保持部から読み込んだＩＤ付加情報を基に、対応するアプリケーションの動作を起動することを特徴とするＩＤ読み取り携帯端末システム。
【請求項７】
請求項５に記載のＩＤ読み取り携帯端末システムにおいて、
上記ＩＤ照合センターと接続して受取ったＩＤ情報は、上記携帯端末で動作するアプリケーションソフトであり、前記携帯端末はダウンロードして実行することを特徴とするＩＤ読み取り携帯端末システム。
【請求項８】
請求項３又は５に記載のＩＤ読み取り携帯端末システムにおいて、
上記携帯端末が上記任意の物体のＩＤ保持部から読み込んだＩＤに合致するＩＤ及びＩＤ情報が前記携帯端末の記憶部にも上記ＩＤ照合センターの記憶部に無いと、前記携帯端末に対して該当動作が無いことが通知されることを特徴とするＩＤ読み取り携帯端末システム。
【請求項９】
請求項３又は５に記載のＩＤ読み取り携帯端末システムにおいて、
上記携帯端末は、ＩＤの読み込み動作を定期的に行い、読み込んだＩＤに対応した動作を実行することを特徴とするＩＤ読み取り携帯端末システム。
【請求項１０】
請求項１又は４に記載の携帯端末において、
読み込んだＩＤに対応する動作の設定をユーザーが行えることを特徴とする携帯端末。
【請求項１１】
請求項１０に記載の携帯端末において、
読み込んだＩＤに対応する動作の設定を行うアプリケーションを自動で起動することを特徴とする携帯端末。
【請求項１２】
請求項１１に記載の携帯端末において、
自動で起動したＩＤに対応する動作の設定を行うアプリケーションに一定時間ユーザーからの入力が無い場合に、前記アプリケーションは自動的に停止することを特徴とする携帯端末。
【請求項１３】
請求項５に記載のＩＤ読み取り携帯端末システムにおいて、
上記携帯端末から上記ＩＤ照合センターに送られたＩＤやＩＤ情報を基に、前記ＩＤ照合センターが前記携帯端末に動作の指示や情報を提供することを特徴とするＩＤ読み取り携帯端末システム。
【請求項１４】
請求項５に記載のＩＤ読み取り携帯端末システムにおいて、
上記ＩＤ照合センターは、ＩＤや上記携帯端末の動作データ以外に、動作に関係する付加データも保持することを特徴としたＩＤ読み取り携帯端末システム。
【請求項１５】
請求項１４に記載のＩＤ読み取り携帯端末システムにおいて、
上記ＩＤ照合センターは、ＩＤや上記携帯端末の動作データ以外の付加データも、通信を行って前記携帯端末に提供することを特徴としたＩＤ読み取り携帯端末システム。
【請求項１６】
請求項５に記載のＩＤ読み取り携帯端末システムにおいて、
上記ＩＤ照合センターは、ＩＤを保持する上記ＩＤ保持部を備える任意の物体を管理する会社からのデータ登録を受け付けて自己の記憶部に保持し、ＩＤを問い合わせてきた上記携帯端末に対して、前記会社からのデータの提供や登録してある動作の提供などのサービスを行う機能を持つことを特徴としたＩＤ読み取り携帯端末システム。
【発明の詳細な説明】
【技術分野】
【０００１】
本発明は、携帯端末及びＩＤ読み取り携帯端末システムであり、ＩＤを読み取る機能を有する携帯端末及びそれを用いたシステムの技術に関する。
【背景技術】
【０００２】
従来、携帯端末において、アプリケーションの動作の実行や端末の設定をキー操作で行っており、多種多様なアプリケーションの動作や端末の設定は、アプリケーション選択や設定選択のキー操作をそれぞれ行うことで対応している。また、携帯端末で動作するアプリケーションの切り替えや自動動作を、端末に挿入する機器のＩＤ（Ｉｄｅｎｔｉｆｉｃａｔｉｏｎ）によって行うという技術も提案されている（例えば、特許文献１）。
【０００３】
一方、任意の物体についているＩＤデータの読み取り等にはバーコードリーダーやＲＦＩＤ（Ｒａｄｉｏ  Ｆｒｅｑｕｅｎｃｙ−Ｉｄｅｎｔｉｆｉｃａｔｉｏｎ：電波方式認識）のリーダー等があり、物体の認識やクレジットカード等の認証をおこなう端末やシステムなどに使われている。また、読み取ったデータを記憶したり送信したりする機能を持つ携帯端末も提案されている（例えば、特許文献２）。
【特許文献１】特開２００３−６１６９号公報
【特許文献２】特開２００２−２６９５０８号公報
【発明の開示】
【発明が解決しようとする課題】
【０００４】
携帯電話などの携帯端末では多種多様なアプリケーションの実行や設定が可能であり、ユーザーはその実行や設定を、キー操作をそれぞれ行うことで対応している。この場合、アプリケーションの種類や設定の多さから、ユーザーの操作は複雑になり、簡単に動作させたり設定したりが困難である。
【０００５】
また、上記従来技術において提案されている手法では、携帯端末の動作を、ユーザーが端末に挿入する機器のＩＤによって行うため、挿入する機器の数によって動作の種類が制限され、携帯端末が行う動作の指定はユーザーに限られ、多種多様な携帯端末の的確な自動動作や設定の対応はユーザーの判断操作に負うところが大きく、使い勝手が悪いという問題がある。
【０００６】
そのほか、携帯端末が、端末の動作を登録していないＩＤを読み込んだ場合や動作のアプリケーション自体を保持していない場合には、対応できないという問題がある。
【０００７】
そこで、本発明は、使い勝手を向上した携帯端末及びシステムの提供を目的としている。
【課題を解決するための手段】
【０００８】
上記の目的を達成するために、本発明では、携帯端末にＩＤデータ読み取り・照合する機能を持たせ、読み取ったＩＤに従って端末のアプリケーション等の動作を自動実行させることで、携帯端末の自動的なアプリケーション実行がＩＤを読み込むだけで可能となる。
【０００９】
また、携帯端末に登録されていないＩＤデータでも、ＩＤ照合センターに問い合わせる通信機能を使用してＩＤ照合センターによる照合・実行動作確定をし、ＩＤ照合センターの指示に従って携帯端末の自動動作を行うことで、携帯端末の自動的なアプリケーション実行がＩＤを読み込むだけで可能となる。
【００１０】
さらに、ＩＤ照合センターに、ＩＤとともに携帯端末の動作や付加情報等を登録することで、携帯端末に対して様々な動作を実行させることができる。そのため、携帯端末のユーザーはＩＤを読み込むだけで自動的に情報提供等を甘受することができる。
【００１１】
すなわち、本発明は、任意の物体のＩＤ保持部のＩＤを読み込むＩＤインターフェース部と、操作等の入力を行う入力部と、音、文字、画像等のデータを出力する出力部と、ＩＤ等のデータを保持する記憶部と、ＩＤの照合を行うＩＤ照合部と、端末動作の切り替えを行う動作切り替え部と、前記ＩＤインターフェース部、前記入力部、前記出力部、前記記憶部、前記ＩＤ照合部及び前記動作切り替え部の制御を行う制御部とを備える携帯端末において、前記ＩＤインターフェース部がＩＤを読み込むと、読み込んだＩＤに対応して登録されたアプリケーションの動作を起動する携帯端末である。
【００１２】
また、本発明は、読み込んだＩＤについてのＩＤ情報が上記記憶部に登録されていないと、該ＩＤに対応したアプリケーションを前記記憶部に登録し、そのアプリケーションの動作を起動する携帯端末である。
【００１３】
そして、本発明は、上記の携帯端末と、ＩＤを保持するＩＤ保持部を有する任意の物体とで構成されるＩＤ読み取り携帯端末システムである。
【００１４】
更に、本発明は、任意の物体のＩＤ保持部からのＩＤを読み込むＩＤインターフェース部と、操作等の入力を行う入力部と、音、文字、画像等のデータを出力する出力部と、ＩＤ等のデータを保持する記憶部と、ＩＤの照合を行うＩＤ照合部と、端末動作の切り替えを行う動作切り替え部と、外部と通信を行う通信部と、前記ＩＤインターフェース部、前記入力部、前記出力部、前記記憶部、前記ＩＤ照合部、前記動作切り替え部及び前記通信部の制御を行う制御部と、アンテナとを備える携帯端末において、読み込んだＩＤが前記記憶部に登録されていないと、前記通信部を用いて外部と通信し、該ＩＤについてのＩＤ情報を外部から取得し、取得したＩＤ情報が指定するアプリケーションの動作を起動する携帯端末である。
【００１５】
また、本発明は、上記の携帯端末と、ＩＤを保持するＩＤ保持部を有する任意の物体と、前記携帯端末と通信を行う通信部、ＩＤ等のデータを保持する記憶部、及び前記通信部と前記記憶部の制御を行う制御部を備えるＩＤ照合センターとから構成されるＩＤ読み取り携帯端末システムであって、前記ＩＤ照合センターは、前記携帯端末から受取ったＩＤの照合を行い、照合したＩＤについてのＩＤ情報を前記携帯端末に送信するＩＤ読み取り携帯端末システムである。
【００１６】
そして、本発明は、上記任意の物体のＩＤ保持部はＩＤ及びＩＤ付加情報を保持しており、上記携帯端末は、前記任意の物体のＩＤ保持部から読み込んだＩＤ付加情報を基に、対応するアプリケーションの動作を起動するＩＤ読み取り携帯端末システムである。
【００１７】
更に、本発明は、上記ＩＤ照合センターと接続して受取ったＩＤ情報は、上記携帯端末で動作するアプリケーションソフトであり、前記携帯端末はダウンロードして実行するＩＤ読み取り携帯端末システムである。
【００１８】
また、本発明は、上記携帯端末が上記任意の物体のＩＤ保持部から読み込んだＩＤに合致するＩＤ及びＩＤ情報が前記携帯端末の記憶部にも上記ＩＤ照合センターの記憶部に無いと、前記携帯端末に対して該当動作が無いことが通知されるＩＤ読み取り携帯端末システムである。
【００１９】
そして、本発明は、上記携帯端末は、ＩＤの読み込み動作を定期的に行い、読み込んだＩＤに対応した動作を実行するＩＤ読み取り携帯端末システムである。
【００２０】
更に、本発明は、読み込んだＩＤに対応する動作の設定をユーザーが行える携帯端末である。
【００２１】
また、本発明は、読み込んだＩＤに対応する動作の設定を行うアプリケーションを自動で起動する携帯端末である。
【００２２】
そして、本発明は、自動で起動したＩＤに対応する動作の設定を行うアプリケーションに一定時間ユーザーからの入力が無い場合に、前記アプリケーションは自動的に停止する携帯端末である。
【００２３】
更に、本発明は、上記携帯端末から上記ＩＤ照合センターに送られたＩＤやＩＤ情報を基に、前記ＩＤ照合センターが前記携帯端末に動作の指示や情報を提供するＩＤ読み取り携帯端末システムである。
【００２４】
また、本発明は、上記ＩＤ照合センターは、ＩＤや上記携帯端末の動作データ以外に、動作に関係する付加データも保持するＩＤ読み取り携帯端末システムである。
【００２５】
そして、本発明は、上記ＩＤ照合センターは、ＩＤや上記携帯端末の動作データ以外の付加データも、通信を行って前記携帯端末に提供するＩＤ読み取り携帯端末システムである。
【００２６】
更に、本発明は、上記ＩＤ照合センターは、番号等のＩＤを保持する上記ＩＤ保持部を備える任意の物体を管理する会社等からのデータ登録を受け付けて自己の記憶部に保持し、ＩＤを問い合わせてきた上記携帯端末に対して、前記会社等からのデータの提供や登録してある動作の提供などのサービスを行う機能を持つＩＤ読み取り携帯端末システムである。
【発明の効果】
【００２７】
本発明によれば、ユーザーの使い勝手を向上し、また、ＩＤを問い合わせてきた端末に対して情報や情報提供動作の補助をするシステムを得ることが可能となる。
【発明を実施するための最良の形態】
【００２８】
本発明を実施するための最良の形態を説明する。
以下、本発明の携帯端末及びＩＤ読み取り携帯端末システムの実施例について、図面により詳細に説明する。
【００２９】
実施例１を説明する。図１は本実施例のＩＤ読み取り携帯端末システムの構成要素を示したものである。ＩＤを備える任意の物体１００は、ＩＤ情報を持つＩＤ保持部１０１を備える。
【００３０】
携帯端末２００は、操作の入力を行う入力部２０１、文字や画像やデータを出力する出力部２０２、前記ＩＤ保持部からのデータを入力するＩＤインターフェース部２０３、端末外部の装置等とアンテナ２０９を介して通信を行う通信部２０５、ＩＤデータやＩＤ受信時の対応動作データ等を保持する記憶部２０６、また、これらを制御する制御部２０４から構成され、制御部２０４には、ＩＤインターフェース部からのＩＤデータと記憶部や通信部２０５を経由してくるデータの照合を行うデータ照合部２０８と、携帯端末の動作の切り替えを行う動作切り替え部２０７を備えている。
【００３１】
携帯端末２００は、無線基地局３００を介してネットワークに接続し、ＩＤ照合センター４００やネットワークに接続している他のサーバなどと通信を行うことができる。ＩＤ照合センターには、ネットワークを介して通信を行うＩＤ照合センター側の通信部４０１と、ＩＤや端末が対応する動作などの情報やデータを記憶するＩＤ照合センター側の記憶部４０２、およびＩＤ照合センター側の制御部４０３が備えられている。
【００３２】
本実施例では、ＩＤを備える任意の物体１００は、電気製品でも良いし、本や野菜など何でも良い。ＩＤ保持部１０１はＲＦＩＤタグやμチップ（登録商標）などの小型無線送信装置やバーコードのタグなどで、ＩＤ情報を保持している。携帯端末２００は例えば携帯電話や無線ＬＡＮ通信機能付き携帯端末などである。入力部２０１はキーやボタンの他に、筐体の内部や外部に構成されるカメラやマイク等を併用し、実現してもよい。出力部２０２は画像や文字を出力する液晶や音を出力するスピーカなどで構成される。ＩＤインターフェース部２０３はＩＤデータを受信する受信装置やバーコードを読み取る装置やカメラなどである。制御部２０４はＣＰＵなどの処理装置で構成される。記憶部２０６はメモリＩＣやハードディスク等のデータを記憶する装置であるが、着脱可能なメモリカードや外部より接続された記憶装置等で実現してもよい。通信部２０５はアンテナを介して外部の基地局３００と通信を行ったり、他の機器と通信を行ったりする装置である。
【００３３】
ＩＤ照合センター４００のＩＤ照合センター側の通信部４０１は、ネットワークと接続する装置で、ＩＤ照合センター側の記憶部４０２はハードディスクやメモリディスク等からなり、それらをＣＰＵなどからなるＩＤ照合センター側の制御部４０３で制御している。
【００３４】
図２は、本実施例におけるシステムの概要を説明する図である。図で概要を説明すると、パソコン１００にＩＤタグ１０１が付いているとする。携帯端末２００を近づけて操作しＩＤを読み込ませると、携帯端末に読み込んだＩＤが登録されている場合は登録されている動作例えばパソコンに電話帳のデータを転送するためにデータ転送のアプリケーションを立ち上げ、携帯端末の表示画面にデータ転送準備ＯＫの表示を行ったり、データ転送を自動的に行ったりする動作をする。
【００３５】
読み込んだＩＤが登録されていない場合には、基地局３００を介してネットワーク経由でＩＤ照合センター４００と通信を行い、ＩＤ照合センター４００から携帯端末２００に、ＩＤに合致した動作、例えばパソコンの価格比較するサイトを見に行くなどの動作を行うように指示を行い、携帯端末は指示の通りに動作を行ったり、ＩＤに合致した動作を行うアプリケーションをダウンロードするようにして自動的に携帯端末がアプリケーションを実行したりするような動作を行う。以上が本実施例の概要である。
【００３６】
実施例１について、図１、図３の処理手順（ステップＳ３００〜Ｓ３１１）及び図４などをもとに詳しく説明する。任意の物体１００に付いているＩＤ保持部１０１に携帯端末２００を近づけ、携帯端末の入力部２０１のキーボタンを操作してＩＤの読み込みを開始する（Ｓ３００）。読み込みの開始は、図４の端末表示画面の例にあるように読み込み開始画面（ａ）を呼び出してからキーを操作して開始する方法でも良いし、専用の読み込み開始ボタンを端末の入力部に設けてこれを押して開始する方法でも良い。これによりＩＤインターフェース部２０３はＩＤ保持部からデータを受信する。
【００３７】
ＩＤ保持部がμチップやＲＦＩＤタグなどの場合は、ＩＤインターフェース部２０３はＲＦＩＤ受信機で、これより発生する電界でＩＤ保持部１０１からデータが送信されてデータを受信するし、ＩＤ保持部がバーコードの場合は図１４のようにＩＤを読み取る部分は読み取り機や２次元バーコード等を読み込むカメラ２１０でバーコードの線や画像からデータを受信することになる。ＩＤ保持部１０１からのデータは、ＩＤインターフェース部２０３を経由して制御部２０４に入力される。制御部２０４は、入力されたＩＤデータと記憶部２０６に図７のように記憶しているＩＤデータ及び関連動作データとを制御部内のデータ照合部２０８でデータ照合してＩＤ登録があるかどうか判断する（Ｓ３０１）。
【００３８】
図７の登録されているＩＤとは、図のようにＩＤ番号そのものでも良いし、ＸＸ〜ＸＸというようにＩＤ番号の範囲を示すものでも良い。照合中は図４の端末表示画面の例のように照合中画面（ｂ）を表示してユーザーに知らせる。
【００３９】
記憶部２０６に登録のあるＩＤの場合は、ＩＤに合致した図７の受信時対応動作を制御部２０４内の動作切り替え部２０７で選択し（Ｓ３０３）、携帯端末で動作させるアプリケーションを起動実行する（Ｓ３０４）。実行するアプリケーションは、メール作成アプリケーション、データ通信アプリケーション、ネット接続アプリケーション、各種携帯端末モード設定、など様々なアプリケーションや設定の実行が考えられる。簡単な具体例を挙げると、自動的にメールの本文を書く画面が立ち上がったり、自動的に電話帳や携帯端末のメモリ内のデータを転送する画面になったり、自動的にＩＤに合致したサイトにアクセスするようにブラウザが立ち上がったり、音が出ないようにマナーモードに設定されたりが考えられる。そして、端末の動作が実行されれば、ＩＤ読み取り処理の処理は終了する（Ｓ３０５）。
【００４０】
携帯端末の記憶部２０６に登録されていないＩＤの場合には、制御部２０４は通信部２０５でアンテナ２０９及び無線基地局３００を介してネットワークと接続してＩＤ照合センター４００の通信部４０１と通信を行い、ＩＤを送信する（Ｓ３０６）。ＩＤ照合センター４００との通信中は図４の端末表示画面の例のように問い合わせ中画面（ｃ）を表示してユーザーに知らせる。
【００４１】
図３の点線枠で囲んだ部分がＩＤ照合センター側で行う処理手順であるが、ＩＤ照合センター４００は例えば図８のようにデータを記憶しているＩＤ照合センター側の記憶部４０２があり、これに送信してきたＩＤの登録があるかＩＤ照合センター側の制御部４０３で判断し（Ｓ３０７）、ある場合は登録してあるＩＤに合致した動作を携帯端末２００に通知するようにＩＤ照合センター側の制御部４０３は動作制御を行う（Ｓ３０８）。携帯端末２００は、ＩＤ照合センター４００から通知してきた動作を実行し（Ｓ３０９）、ＩＤ読み取り処理を終了する（Ｓ３０５）。
【００４２】
ＩＤ照合センター４００の記憶部４０２にもＩＤ登録が無い場合は、ＩＤ照合センター４００は携帯端末２００に無いことを通知し（Ｓ３１０）、携帯端末はＩＤ照合該当無し等の通知を、出力部２０２を使ってユーザーに対して行う（Ｓ３１１）。このとき図４の端末表示画面の例のようにＩＤに対応する動作が無いことを画面に表示（ｄ）し、処理を終了する（Ｓ３０５）。
【００４３】
携帯端末２００にＩＤ照合センターと通信を行う機能が無い場合には、図３の手順Ｓ３００〜Ｓ３０５の手順と同様な動作を行い、Ｓ３０２で携帯端末の記憶部２０６に登録されていないＩＤの場合には、携帯端末はＩＤ照合該当無し等の通知（図４の（ｄ））を行い、処理を終了（Ｓ３０５）するということも考えられる。
【００４４】
以上のようにして、携帯端末は、ＩＤに対応した動作を、ＩＤを読み込むだけで自動的に実行することができる。また、携帯端末の記憶部に登録されていないＩＤでもネット経由でＩＤ照合センターに問い合わせることで携帯端末の動作の自動実行が可能となる。
【００４５】
図５は、他の処理手順（ステップＳ５００〜Ｓ５１４）例である。前記図３の手順と同様だが、端末にＩＤ登録が無い場合に、図３の手順と同様にＩＤ照合センターに問い合わせるか、端末の記憶部にＩＤの登録動作を行うか、処理終了するかをユーザー選択させる手順が含まれる。
【００４６】
図５で説明すると、ＩＤ読み取り開始（Ｓ５００及び図６（ａ））からＩＤ登録の有無判断（Ｓ５０２及び図６（ｂ））までは図３の手順と同様で、ＩＤ登録が端末にある場合には図３の手順と同じようにＩＤに合致した動作を選択（Ｓ５０３）して実行し（Ｓ５０４）、ＩＤ読み取り処理を終了する（Ｓ５０５）。ＩＤ登録が端末に無い場合に図６の端末表示画面の例（ｃ）のように、センターに問い合わせる動作か、ＩＤの端末への登録動作か、中止かをユーザーが選択するようにする（Ｓ５０６）。
【００４７】
ＩＤ照合センターに問い合わせる場合（Ｓ５０７）は図３で説明した場合の動作と同様の手順をふみ、ＩＤ照合センターからの指示に従って端末動作したり（Ｓ５１０）ユーザー通知（Ｓ５１２及び図６（ｅ））したりする。ＩＤの端末への登録をユーザーが選択した場合（Ｓ５１３）には、図７に示すようなイメージのデータを携帯端末２００内の記憶部２０６に登録する動作を実行する。ＩＤは既に読み込んでいるので、対応する動作を、入力部２０１を操作して入力する。
【００４８】
操作はユーザーが入力しても良いし、図６の端末表示画面例（ｆ）のように対応する動作を表示して選択しても良い。図７ではＩＤの受信時対応動作を文章で記述してあるが、各動作に個別の番号を付与し、これで対応付けて登録管理しても良い。
【００４９】
図５の（Ｓ５０６及び図６（ｃ））の時点で中止を選んだ場合には、処理を終了する（Ｓ５１４）。また、図５の（Ｓ５０６及び図６（ｃ））の時点で一定時間ユーザーの指示が無い場合は処理を終了する（Ｓ５１４）なども考えられ、この場合は、ユーザーは終了操作の手間が省ける。このように、読み込んだＩＤが携帯端末の記憶部にない場合でも、ＩＤ照合センター経由で携帯端末の自動実行が可能になったり、携帯端末の記憶部にＩＤ等のデータを登録する動作を簡単に実行したりすることができる。
【００５０】
また、この手順例の他にも、読み込んだＩＤが携帯端末の記憶部にない場合に、自動的に記憶部に登録する動作を実行することも考えられるし、自動的に処理を終了することも考えられる。また、読み込んだＩＤが携帯端末の記憶部に無い場合の選択動作をユーザーがあらかじめ設定しておくことで、ユーザーの思い通りの自動実行動作を行うことも可能になる。
【００５１】
この他、実施例では、ＩＤを読み込む際に、入力部をユーザーが操作して行っているが、ＩＤ保持部１０１がμチップやＲＦＩＤなどの場合には、制御部２０４が定期的にＩＤインターフェース部２０３を動作させてＩＤを読み込む動作をさせれば、ユーザーは操作することなく端末動作の実行を自動的に行うことができる。例えば、定期的にＲＦＩＤの読み込みを行っていれば、電車の優先席につけられたＲＦＩＤであるＩＤ保持部１０１のＩＤを読み込んだ場合に、自動的にＩＤ照合し、携帯端末２００を、電波を発信しないモードにしたり、音を出さない設定にしたりすることが可能である。
【００５２】
また、ＩＤ保持部１０１から入力するデータは、図９の（ａ）のようにＩＤデータだけでも良いし、（ｂ）や（ｃ）や（ｄ）のように、メールアドレスやＷＥＢ情報などの複数のデータの付加情報があっても良い。付加情報は他にも電話番号データや文字データ、音声・画像データなどが考えられる。
【００５３】
ＩＤデータのみの場合はＩＤに基づく自動実行を行うが、付加情報がある場合はＩＤに基づく自動実行ではない方法も考えられる。たとえば、ＩＤ保持部１０１から受けた情報で、ＩＤのほかに情報がある場合はその情報に従って自動的に動作を行う。
【００５４】
たとえば、メールアドレス情報があれば送信先を読み込んだメールアドレスにしたメール作成アプリケーションを自動的に動作させたり、サイトのＵＲＬ情報があればそのＵＲＬの場所のサイトを見るために自動的にブラウザを起動したりする。また、ＵＲＬやｆｔｐアドレスよりアプリケーションを自動的にダウンロードしてきて自動実行することも考えられる。
【００５５】
その他、電話番号が入力されれば番号表示して発信ボタンを押すだけで電話がかかるように自動動作したり、文字や音声・画像が入力されれば出力部の液晶画面やスピーカを自動的に動作させてユーザーに提供したりすることも可能である。この場合、制御部２０４は入力したデータをＩＤ照合部２０８で照合しないで付加情報より動作を選択判断して動作切り替え部２０７に命令し動作の自動実行を行うことも考えられる。
【００５６】
付加情報より動作を選択判断する方法は、アットマークやｆｔｐなどの特徴的なデータから判断しても良いし、あらかじめ決まった符合を付加情報に付加して、どのような動作かを判断しても良い。ＩＤのほかに情報が無くて、携帯端末にもＩＤの登録がない場合にはセンターに問い合わせ、センターからの情報に従って動作を行う。
【００５７】
携帯端末がＩＤを読み込んだ際に、自動実行する動作の例を挙げる。実施例での、携帯端末がＩＤを読み込んだ際に自動実行する動作の例は、図１０のように、たとえば任意の物体１００がパソコンでそのＩＤを読み込んだ場合に、パソコンとデータ通信開始（ａ）、パソコンメーカーのＷＥＢサイトを見に行く（ｂ）、パソコンメーカーに質問するメール作成開始（ｃ）、ブラウザの立ち上げ、マナーモード設定（ｄ）、などが挙げられる。
【００５８】
この他にも、図１１にも有るように、たとえば任意の物体１００が手帳で、手帳に付加されたＩＤを読み込むだけで、携帯端末の予定表ソフトが自動的に起動する（ａ）、携帯端末の電話帳登録の画面に自動的になる（ｂ）、携帯端末のメモリへのアクセスを制限するようにセキュリティ設定がかかる（ｃ）、留守番電話モードに自動的に設定する（ｄ）等が考えられる。
【００５９】
また、それ以外にも、携帯端末にあるカメラを自動的に起動したり、ＷＥＢサイトや照合センターから用意されている画像や音楽を自動的にダウウンロードして再生表示したり、サイトや照合センターからアプリケーションのデータをダウウンロードして自動的にアプリケーションの実行を行ったり等も考えられる。
【００６０】
従来は、多種多様な動作の起動を１つのキーに割当てるのは困難で、多くのキーを押して動作実行をおこなっていたが、このように、様々なアプリケーション等の動作を、ＩＤを読み込むだけで自動実行することが可能であるので、ＩＤの読み込みボタン１つ押すだけで多くの動作の中から状況にあった動作を携帯端末は実行することができ、ユーザーの使い勝手が向上する。
【００６１】
また、読み込んだＩＤに対応する動作の登録や対応するアプリケーションソフトが無い場合にも、照合センター等と通信を行って動作指示を受けたり、対応するアプリケーションソフト等のデータをダウウンロードして自動的に実行したりすることで、携帯端末の動作の自動実行が可能であり、ユーザーには便利である。
【００６２】
また、ＩＤ照合センター側は、ＩＤとともに付加情報の登録を行うことができるので、問い合わせてきた携帯端末に対して付加情報の提供や付加情報に基づく動作の提供を行うことができる。これにより、ＩＤ照合センターは、携帯端末のユーザーに対して情報や自動動作を提供するサービスだけでなく、センターにＩＤや付加情報の登録を依頼した依頼者に対しても宣伝広告やＩＤに基づく商品管理等のサービスを提供することができる。
【００６３】
図１２を例にあげて具体的に説明すると、任意の物体１００が例えば商店の製品の場合ＩＤ保持部１０１が付いていて、購入したユーザーがＩＤの読み込みを行うと、携帯端末２００にはこのＩＤの登録がされていないのでＩＤ照合センター４００に問い合わせる。一方、ＩＤ提供者である商店側はＩＤ照合センターに商品のＩＤとともに図６のような動作対応及びＷＥＢ情報等の付加情報を登録しておく。するとＩＤを問い合わせたユーザー携帯端末２００はＩＤセンター４００より端末動作の情報と付加情報を得、例えば商店のサーバであるＷＥＢサイト５００に自動的にアクセスする動作を行うことができ、製品に関する情報や商店の情報を得ることができる。
【００６４】
付加情報の提供の場合、ＩＤ保持部１０１に直接付加情報をもたせる方法も考えられるが、日々情報が新しくなっていく場合には、情報が新しくなった時点で全ての製品等のＩＤ保持部１０１を取り替えねばならず不向きである。また、ＩＤごとにアクセスするサーバ５００やＷＥＢサイトを変えるように商店やメーカー側が登録しておけば、各製品ソフトのバージョンアップの知らせや注意事項の呼びかけやユーザー登録の案内など、製品や商品の細かい情報提供や商品管理の手助けをすることもできる。
【００６５】
同様に、図１３のように商店やメーカー側がＩＤ照合センター４００にＩＤとともに付加情報として商店やメーカーのメールＢＯＸ６００のアドレスを登録しておけば、ユーザーが製品のＩＤを読み込むとＩＤ照合センター４００に問い合わせ、ＩＤセンター４００は登録してあるメール作成動作の実行の指示と宛先のメールアドレスを携帯端末に送付する。そして携帯端末２００は宛先の指定してあるメール作成画面を自動的に実行することができ、商店やメーカーに対して商品や製品の質問・故障連絡や苦情などのメールを簡単に送付することができる。
【００６６】
携帯端末２００のユーザー側からはＩＤを読み取るだけで製品に対する質問メール作成が宛先付き・ＩＤ付きで自動的に起動する等使い勝手が良いし、商店やメーカー側からは商品や製品の故障や苦情のメールをＩＤ付きで受け取ることができ、これをもとに問題のある商品・製品の製造日時や製造工場等の確認ができる。
【００６７】
その他にも、例えば、ポスター等の広告のＩＤを読み込むことで携帯端末２００が自動的にブラウザを起動して詳しい情報をサイトから入手したり、自動的にチケット申し込みのメールを作成できるようにメールソフトを起動したりして、ユーザーのブラウザやメール等のソフトウェア起動の手間を省き、使い勝手を向上し、広告を出してＩＤセンター登録した側は付加情報を提供したりどの広告を見て応募してきたかを判断できる。
【００６８】
以上のように、ＩＤ照合センターは、携帯端末のユーザーに対して情報や自動動作を提供するサービスだけでなく、センターにＩＤや付加情報の登録を依頼した依頼者に対しても宣伝広告やＩＤに基づく商品管理等のサービスを提供することができる。
【００６９】
その他、図８のようにＩＤ照合センターの記憶データに問い合わせてきた通信相手の情報も入れておけば、同じＩＤで問い合わせてきても、通信相手の機種などに合わせて自動実行指示等や返信するデータ等を変えることも可能である。
【００７０】
また、実施例で示したＩＤ照合センターは複数あっても良い。この場合、複数あるＩＤ照合センターをＩＤによって選択する方法が考えられる。例えばＡとＢのＩＤ照合センターがあって、ＩＤがＸＸ００〜ＸＸ５０の場合はＡのＩＤ照合センターで照合し、それ以外はＢのＩＤ照合センターで照合するという具合である。
【００７１】
以上の様にして、ＩＤを読み込むだけで端末動作を自動実行でき、ユーザーの使い勝手を向上した携帯端末の提供が可能となる。また、端末に登録の無いＩＤでもセンターサーバを使って適切な携帯端末の自動動作を実行することができ、情報収集・データ管理等のユーザーの使い勝手を向上する。さらに、センターサーバに登録するだけで、ＩＤを問い合わせてきた端末に対して情報や情報提供動作の補助をするシステムを提供することが可能となる。
【００７２】
本発明によれば、多種多様なアプリケーションの動作や携帯端末の設定をＩＤを読み込む動作のみで自動的に選択実行可能とし、携帯端末に無いＩＤ情報やアプリケーションの場合にも対応して動作を行い、さらに、ＩＤを用いてさまざまな情報の提供や享受のサービスをユーザーのみならずＩＤの提供者にも行い、使い勝手を向上した携帯端末及びシステムとすることができる。
【図面の簡単な説明】
【００７３】
【図１】実施例を示す携帯端末及びそれを用いたシステムの一構成図。
【図２】実施例におけるシステムの概要を示した図。
【図３】実施例における第一の処理手順を示したフローチャート図。
【図４】実施例における第一の処理手順時の携帯端末の表示イメージ図。
【図５】実施例における第二の処理手順を示したフローチャート図。
【図６】実施例における第二の処理手順時の携帯端末の表示イメージ図。
【図７】実施例における携帯端末の記憶部に保持するデータの構成図。
【図８】実施例におけるＩＤ照合センターの記憶部に保持するデータの構成図。
【図９】実施例におけるＩＤ保持部から得るデータの構成図。
【図１０】実施例における第一のユーザ使用シーンのイメージ図。
【図１１】実施例における第二のユーザ使用シーンのイメージ図。
【図１２】実施例において提供されるサービスの第一のシステム図。
【図１３】実施例において提供されるサービスの第二のシステム図。
【図１４】実施例におけるＩＤインターフェース部の他の例を示す図。
【符号の説明】
【００７４】
１００  ＩＤ保持部を備える任意の物体
１０１  ＩＤ保持部
２００  携帯端末
２０１  入力部
２０２  出力部
２０３  ＩＤインターフェース部
２０４  制御部
２０５  通信部
２０６  記憶部
２０７  動作切り替え部
２０８  ＩＤ照合部
２０９  アンテナ
２１０  カメラ
３００  無線基地局
４００  ＩＤ照合センター
４０１  ＩＤ照合センター側の通信部
４０２  ＩＤ照合センター側の記憶部
４０３  ＩＤ照合センター側の制御部
５００  サーバ
６００  メールＢＯＸ
【図１】
2005269565.tif 000003
【図２】
2005269565.tif 000004
【図３】
2005269565.tif 000005
【図４】
2005269565.tif 000006
【図５】
2005269565.tif 000007
【図６】
2005269565.tif 000008
【図７】
2005269565.tif 000009
【図８】
2005269565.tif 000010
【図９】
2005269565.tif 000011
【図１０】
2005269565.tif 000012
【図１１】
2005269565.tif 000013
【図１２】
2005269565.tif 000014
【図１３】
2005269565.tif 000015
【図１４】
2005269565.tif 000016